(57)【要約】      （修正有）【課題】散熱器固定構造を提供する。【解決手段】主に散熱器２３を発熱ユニット２４１上に固定し、該発熱ユニット２４１の散熱を行う。少なくとも固置部２１を含み、該固置部２１は該散熱器２３を支え固定する。該固置部２１は接固部２２を形成し、該接固部２２は熱処理過程を経て弾力性を具える。該接固部２２の弾力性により、固定ユニットの固定時に、圧力調整の特性を発揮する。【選択図】図３
2006128566.tif 000002
【特許請求の範囲】
【請求項１】
主に散熱器固定に用い、固置部を含み、
該固置部は散熱器を支え固定し、かつ該固置部は接固部を形成し、該接固部は熱処理過程を経るため、該接固部は固定時に圧力調整の特性を具えることを特徴とする散熱器固定構造。
【請求項２】
前記接固部は開口を開設し、固定ユニットは該開口を貫通し固定することを特徴とする請求項１記載の散熱器固定構造。
【請求項３】
前記固定ユニットは螺合部品であることを特徴とする請求項２記載の散熱器固定構造。
【請求項４】
前記固置部と前記接固部は一体成型されることを特徴とする請求項１記載の散熱器固定構造。
【発明の詳細な説明】
【技術分野】
【０００１】
本発明は一種の散熱器固定構造に関する。
【背景技術】
【０００２】
CPUの処理速度の大幅な向上に従い、その作動温度もまた上昇しているが、それに対応しその散熱のため、効率の高い散熱装置の配備が必要となっている。
公知の散熱装置は主に散熱器、該散熱器上に気流を生み出し対流効果により散熱するファン、散熱器をCPU上に固定する固定部品を含む。
一方、中華民国特許公告第562158号「CPUの散熱片固定装置」中に示す技術のCPUの散熱片固定装置はフレーム台、底台板、固定部品を含む。該フレーム台は矩形を呈し、該マザーボード表面に設置し、該CPU周辺に設置する。その上には散熱片を設置し、該散熱片底面は該CPU表面と接触し、該底台板は該マザーボード底面に位置し、その上には２本の突起柱を設置する。該２本の突起柱は、該マザーボードと該フレーム台に対応し貫通する。該固定部品は板状を呈し、該散熱片上を跨ぎ、両端はそれぞれネジと該底板上の２本の突起柱を通して対応し螺接される。
しかし上記の固定部品を用い、散熱片を跨がせて設置する方式には、実施において多くの問題が存在する。
先ず、該散熱片上には固定部品を跨がせ設置する溝を開設する必要があるため、散熱器の構造と外形は固定部品の制限を受け、その散熱面積が減少し、散熱効果を十分発揮することができない。
また、図１、２に示す散熱器１１は機板１２表面に設置し、CPU１３上方に設置するが、該散熱器１１の四方には貫通孔１１２を設置し、ネジ１４１によりバネ１４２を嵌設し、該貫通孔１１２により該機板１２の開口１２１上に螺接し、これにより該散熱器１１を該機板１２上に固定する。さらに、該CPU１３に密着し、該バネ１４２は該ネジ１４１と該散熱器１１間に介在する。該ネジ１４１が螺固される時、該バネ１４２は適当な圧力を提供し該散熱器１１を圧迫し、これにより、該散熱器１１は適当に該CPU１３上に密着する。すなわち、該ネジ１４１の螺固力が過度に強ければ、該散熱器１１の開口１１２と機板１２を破壊し、或いは、該散熱器１１が該CPU１３を過度に圧迫すれば該CPU１３を損壊する恐れもあるが、これらを防止することができる。
しかし、上記方式も問題を抱えている。それが、該ネジ１４１と該バネ１４２は運搬或いは梱包の過程において分離され単独包装されるため、両者の内のどちらかが遺失し易い。また、該バネ１４２を多く使用するため、製品全体のコストが高騰してしまう。
【発明の開示】
【発明が解決しようとする課題】
【０００３】
公知構造には以下の欠点があった。
すなわち、公知の固定部品は散熱片上を跨ぎ設置するため、該散熱片上には固定部品を跨がせ設置するための溝を開設する必要がある。よって、散熱器の構造と外形は固定部品の制限を受け、その散熱面積が減少し、散熱効果を十分発揮することができない。
また、別種の公知構造ではネジを嵌設したバネにより散熱器を固定するが、該ネジと該バネは運搬或いは梱包の過程において分離され単独包装されるため、両者の内のどちらかが遺失し易く、また、バネを多用するため、製品全体のコストが高騰してしまう。
本発明は上記構造の問題点を解決した散熱器固定構造を提供するものである。
【課題を解決するための手段】
【０００４】
上記課題を解決するため、本発明は下記の散熱器固定構造を提供する。
それは主に散熱器を発熱ユニット上に固定し、該発熱ユニットの散熱を行い、
少なくとも固置部を含み、該固置部は該散熱器を支え固定し、該固置部は接固部を形成し、該接固部は熱処理過程を経て弾力性を具え、該接固部の弾力性により、固定ユニットの固定時に、圧力調整の特性を発揮することを特徴とする散熱器固定構造である。
【発明の効果】
【０００５】
上記のように、本発明の接固部は熱処理により弾力性を具えるため、螺合部品を螺固する時、散熱器と発熱ユニット間の接触圧力を提供し、これにより、該螺合部品の螺合圧力は過度に強くなる恐れはなく、機板或いは該接固部そのもの、或いは発熱ユニットの損壊を防止することができる。さらに本発明は散熱器下方に接固するため、該散熱器の構造及び外形は制限されない。すなわち、あらゆる形状或いは構造の散熱器に応用可能であり、しかも公知のバネ、ネジの応用に比べコストを低下させ、バネ、ネジの遺失の恐れをも払拭することができる。
【発明を実施するための最良の形態】
【０００６】
図３、４に示すように、本発明は散熱器２３を機板２４の発熱ユニット２４１上に固定する。本発明は少なくとも固置部２１を含み、該散熱器２３を支え、固定する。該固置部２１は開口２１１を開設し、該固置部２１の四隅には一体成型で外部へと延伸する接固部２２を形成する。該接固部２２は開口２２１を開設し、該接固部２２は熱処理過程を経て弾力性を具える。
該接固部２２上の開口２２１は固定ユニットを貫通可能で、本実施例中では該固定ユニットは螺合部品２５である。該散熱器２３はさらに該固置部２１の開口２１１と同一形状の底台２３１を含み、該底台２３１上には複数の散熱片２３２を固設し、該複数の散熱片２３２を貫通後、該底台２３１は導熱管２３３に接続する。
【０００７】
組立て時には、該散熱器２３の底台２３１は該固置部２１の開口２１１内に相対し嵌合し、該散熱器２３を該固置部２１に固設後、該固置部２１は該機板２４の表面の発熱ユニット２４１上にに設置する。続いて、該螺合部品２５は該接固部２２の開口２２１を通して該機板２４に開設した開口２４２において螺固し、同時に該散熱器２３及び該固置部２１を該機板２４上に固設する。しかも、該散熱器２３の底台２３１は該発熱ユニット２４１の表面に適当に抵触し、効果的な散熱を行う。
【０００８】
次に図３、５に示すように、該螺合部品２５を螺固する時、該接固部２２は熱処理により弾力性を具えるため、該散熱器２３と該発熱ユニット２４１間の接触圧力を提供する。これにより、該螺合部品２５の螺合圧力は過度に強くなる恐れはなく、該機板２４或いは該接固部２２そのもの、或いは該発熱ユニット２４１の損壊を防止することができる。
さらに本発明は該散熱器２３下方に接固するため、該散熱器２３の構造及び外形は制限されない。すなわち、あらゆる形状或いは構造の散熱器に応用可能であり、しかも公知のバネ、ネジの応用に比べコストを低下させ、バネ、ネジの遺失の恐れをも払拭することができる。
【図面の簡単な説明】
【０００９】
【図１】公知の散熱器固定構造の立体分解図である。
【図２】公知の散熱器固定構造の立体組合せ図である。
【図３】本発明と散熱器及び機板の立体分解図である。
【図４】本発明と散熱器及び機板の立体組合せ図である。
【図５】本発明と散熱器を機板に固定する側面指示図である。
【符号の説明】
【００１０】
１１  散熱器
１１２  貫通孔
１２  機板
１２１  開口
１３  CPU
１４１  ネジ
１４２  バネ
２１  固置部
２１１  開口
２２  接固部
２２１  開口
２３  散熱器
２３１  底台
２３２  複数の散熱片
２３３  導熱管
２４  機板
２４１  発熱ユニット
２４２  開口
２５  螺合部品
【図１】
2006128566.tif 000003
【図２】
2006128566.tif 000004
【図３】
2006128566.tif 000005
【図４】
2006128566.tif 000006
【図５】
2006128566.tif 000007